(57)【要約】【課題】弾性体をネジで締結するとき、弾性体の上端が捻られ圧縮と捻れを同時に受けた状態で、長期間使用していると弾性体表面にクラックが発生し性能が劣化する。【解決手段】中心に貫通穴を有し中央部が括れた略円筒形の弾性体６と、この弾性体６の貫通穴に挿入されるパイプ５と、弾性体６を押圧する押圧板１０と、ハードディスクドライブユニット１を固定し且つ筐体２への取付孔８ｂを有する保持板８とを備え、弾性体６を保持板８の取付孔に嵌挿し弾性体６の括れを保持板８と係合させ、筐体と押圧板の間に保持板と係合した弾性体６を位置させ締結ネジで弾性体６に捻りを加えることなく圧縮させて前記押圧板１０を筐体２に締結することを特徴とする。【選択図】  図１
2004197787.tif 000002
【特許請求の範囲】
【請求項１】
ハードディスクドライブユニットを筐体に支持する防振支持装置において、中心に貫通穴を有し中央部が括れた略円筒形の弾性体と、前記弾性体の長さより弾性体の圧縮代分短い長さで且つ前記弾性体の貫通穴に挿入されるパイプと、前記パイプを通る締結ネジと、前記弾性体を押圧する押圧板と、前記ハードディスクドライブユニットを固定し且つ前記筐体への取付孔を有する保持板とを備え、前記弾性体を前記保持板の取付孔に嵌挿し弾性体の括れを前記保持板と係合させ、前記筐体と前記押圧板の間に前記保持板と係合した弾性体を位置させ前記締結ネジでこの弾性体に捻りを加えることなく圧縮させて前記押圧板を筐体に締結する防振支持装置。
【請求項２】
前記筐体に前記保持板の取付孔に対応して複数の締結孔を設け、前記押圧板はネジ穴を有する第１押圧板とし、前記第１押圧板の外形は、前記弾性体の端面の外形より大きく且つ回転係止部を備え、この回転係止部が嵌合する嵌合孔を前記筐体の複数の締結孔に対応させた位置に有する治具板を、前記複数の第１押圧板に嵌合させて前記ネジを締結する請求項１記載の防振支持装置。
【請求項３】
前記筐体に前記保持板の取付孔に対応して複数の締結ネジ孔を設け、前記押圧板は前記保持板の取付孔に対応した位置に複数の貫通穴を設けた第３押圧板とし、前記締結ネジを締結する請求項１記載の防振支持装置。
【請求項４】
前記弾性体の外周面に縦線を表示した請求項１から請求項３のいずれか１項に記載の防振支持装置。
【発明の詳細な説明】
【０００１】
【発明の属する技術分野】
本発明は、生産機械などに搭載されるハードディスクドライブユニット（以下ＨＤＤと示す）が、外部からの振動により誤動作や、破壊することを防止するためのＨＤＤの防振支持装置に関するものである。
【０００２】
【従来の技術】
従来のＨＤＤの防振支持装置は、ＨＤＤを外部からの振動に対して保護するため、筐体とＨＤＤとを結合する部分に防振用の弾性体を配置しネジ固定をしている（例えば、特許文献１参照）。
【０００３】
図６は従来のＨＤＤの防振支持装置の分解組立図である。図６において、ＨＤＤ１の上面と側面の一部および筐体２の側面の内部を図示するため、部分的に破断して表示している。図７は図６の分解組立図に示す防振支持装置を組立した後のＡ−Ａ矢視断面図を示す。以下、ＨＤＤの防振支持装置の構成とその動作について説明する。
【０００４】
１はＨＤＤで、アクチュエータ１ｂの先端の磁気ヘッド１ｃによりデジタルデータをハードディスク１ａ上に磁気的に記録再生するものであるが、前記磁気ヘッド１ｃとハードディスク1ａとの間隙は１マイクロメートル以下であり、そのため、外部からの振動,衝撃が大きい場合は、前記磁気ヘッド１ｃがハードディスク1ａと衝突して前記ハードディスク１ａの表面を破壊し、データが失われる事がある。そこで、ＨＤＤの外部からの振動を緩和する必要がある。
【０００５】
以下にその仕組みを説明する。８は保持板で、図６のように両側を折り曲げて、縁辺部８aを設け、そこに締結ネジ４、パイプ５、弾性体６を挿入するための孔８ｂが設けられている。
【０００６】
パイプ５は、金属又はプラスチックの円筒である。締結ネジ４の首下の長さは、筐体２に締結される分だけパイプ５の長さより少し長い。弾性体６は弾性に富むゴム又はエラストマーから成り、中央部６ａの外形が端部６ｂ、６ｃの外形より小さい略円筒形状若しくは瓢箪形状をしている筒である。弾性体６の中央部６ａの外形寸法は上記取付孔８ｂの寸法と同じにしている。パイプ５の長さは、弾性体６が圧縮されることにより、外部からの振動、衝撃を吸収する弾性率が得られるように弾性体の長さより短めな長さになっている。
【０００７】
締結ネジ４の頭部の外形は弾性体６の端部６ｂより大きくしてある。弾性体６は一方の開口端からパイプを挿入されて、図６のように中央部６ａの外面を上記縁辺部８ａの取付孔８ｂの内面に接触させ、締結ネジ４で筐体２のネジ孔２ｃに固定される。ＨＤＤ１の下面は保持板８の上面に接触させ,締結ネジ９で固定してある。保持板８は筐体２との間を上記のように弾性体６で保持されるため、筐体が受ける衝撃や振動が緩和される。
【０００８】
【特許文献１】
特開２００１−３４４９５４号公報
【０００９】
【発明が解決しようとする課題】
しかしながら、上記のような構成では、締結ネジ４を締めつけるとき、最終締めつけの段階でその回転により、締結ネジの頭部と弾性体６の上面端部６ｂが接触して締めつけられるので、中央部６ａに対し上面の端部近傍６ｂが捻られることになる。一方、固定の筐体２に接している下面端部近傍６ｃは上記による影響で捻られる度合いは僅かである。上記したように弾性体６の上面端部近傍６ｂは、圧縮と捻れを同時に受けた状態で使用されるため、長期間放置または使用していると弾性体の表面にクラックが発生して、性能が劣化するという問題点を有していた。
【００１０】
本発明は上記の問題点を解決し、締結ネジを締めつけても弾性体６が捻れることなく圧縮のみされ、長期間使用しても弾性体の性能劣化を非常に少なくすることができるハードディスクドライブユニットの防振支持装置を提供することを目的としている。
【００１１】
【課題を解決するための手段】
上記課題を解決するために、本発明の防振支持装置は、ハードディスクドライブユニットを筐体に支持する防振支持装置において、中心に貫通穴を有し中央部が括れた略円筒形の弾性体と、前記弾性体の長さより弾性体の圧縮代分短い長さで且つ前記弾性体の貫通穴に挿入されるパイプと、前記パイプを通る締結ネジと、前記弾性体を押圧する押圧板と、前記ハードディスクドライブユニットを固定し且つ前記筐体への取付孔を有する保持板とを備え、前記弾性体を前記保持板の取付孔に嵌挿し弾性体の括れを前記保持板と係合させ、前記筐体と前記押圧板の間に前記保持板と係合した弾性体を位置させ前記締結ネジでこの弾性体に捻りを加えることなく圧縮させて前記押圧板を筐体に締結することにより、前記弾性体の寿命劣化を防ぐことができる。
【００１２】
【発明の実施の形態】
本発明の請求項１記載の防振支持装置は、ハードディスクドライブユニットを筐体に支持する防振支持装置において、中心に貫通穴を有し中央部が括れた略円筒形の弾性体と、前記弾性体の長さより弾性体の圧縮代分短い長さで且つ前記弾性体の貫通穴に挿入されるパイプと、前記パイプを通る締結ネジと、前記弾性体を押圧する押圧板と、前記ハードディスクドライブユニットを固定し且つ前記筐体への取付孔を有する保持板とを備え、前記弾性体を前記保持板の取付孔に嵌挿し弾性体の括れを前記保持板と係合させ、前記筐体と前記押圧板の間に前記保持板と係合した弾性体を位置させ前記締結ネジでこの弾性体に捻りを加えることなく圧縮させて前記押圧板を筐体に締結することを特徴とする。これにより、締結ネジを締めつける際に、第１押圧板は、前記治具板に嵌まっているので、回転することがなく、これにより前記弾性体を圧縮のみ行い捻れを生じることがない。
【００１３】
請求項２に記載の防振支持装置は、前記筐体に前記保持板の取付孔に対応して複数の締結孔を設け、前記押圧板はネジ穴を有する第１押圧板とし、前記第１押圧板の外形は、前記弾性体の端面の外形より大きく且つ回転係止部を備え、この回転係止部が嵌合する嵌合孔を前記筐体の複数の締結孔に対応させた位置に有する治具板を、前記複数の第１押圧板に嵌合させて前記ネジを締結することを特徴とする。このようにすると、締結ネジを締めつける際に、前記弾性体を押し付けている前記第１押圧板の複数の孔の中にそれぞれネジが通っているため、ネジを締めつけても第１押圧板が回転しないので、前記弾性体を圧縮のみ行い捻れを生じることがない。
【００１４】
請求項３に記載の防振支持装置は、前記筐体に前記保持板の取付孔に対応して複数の締結ネジ孔を設け、前記押圧板は前記保持板の取付孔に対応した位置に複数の貫通穴を設けた第３押圧板とし、前記締結ネジを締結することを特徴とする。このようにすると、締結ネジを締めつける際に、前記弾性体を押し付けている前記第１押圧板の複数のネジ孔の中にそれぞれネジが通っているため、締結ネジを締めつけても第１押圧板が回転しないので、これにより前記弾性体を圧縮のみ行い捻れを生じることがない。
【００１５】
請求項４に記載の防振支持装置は、前記弾性体の外周面に縦線を表示したので、仮に弾性体に捻れが生じた場合に、前記縦線が捻れることで一見して判別することができる。
【００１６】
以下、本発明の防振支持装置の実施の形態について図１から図４を用いて説明する。なお、従来と同一機能のものには同一符号を示す。
（実施の形態１）
図１は本発明の第１の実施の形態の防振支持装置を示すものである。図２は図１の分解組立図に示す防振支持装置を組立した後のＢ−Ｂ矢視断面図を示す。図１および図２において、外部からの衝撃や振動を弱めるため、筐体２と、ＨＤＤ１を取付け且つ前記筐体の複数の締結孔に対応した取付孔を有する保持板８の間には、４個の中心に貫通穴を有し中央部が括れた略円筒形の弾性体６を介して締結ネジ４で支持している。その取付ピッチは４５ｍｍ、締結ネジ４はＭ３で首下長さは１２ｍｍである。
【００１７】
パイプ５の内径は締結ネジ４が通るために３．１ｍｍ、外形は６．０ｍｍ、長さは弾性体の長さより弾性体の圧縮代分短い８．５ｍｍである。弾性体６は、外形１２ｍｍ、内径６ｍｍで、その内径の貫通穴に上記パイプ５が挿入される。また、弾性体６の中央が細くなった括れた部分は外径９ｍｍ、その長さは１ｍｍで、保持板８の取付孔８ｂは径９ｍｍの丸穴で、この取付孔に弾性体６の中央の括れを嵌挿し保持板と係合させる。
【００１８】
１０は弾性体を押圧する押圧板の一種である第１押圧板で、円柱形状の材料を一部四角形に部分加工した形状で、その外形は弾性体の端面の外形より大きく１５ｍｍ、且つその一部が一辺８ｍｍの四角形１０ａに加工された回転係止部を備えており、更に中心部にＭ３のネジ孔が加工されている。１１は治具板で、上記回転係止部である四角形１０ａが嵌合する嵌合孔を、例えば一辺８．４ｍｍの四角形の孔が、前記筐体の取付孔２ｂ間のピッチ４５ｍｍに対応した位置に２つ設けられている。３及び３ａはスプリング座金で、締め付けた後，締結ネジ４及び９が緩まないようにするためのものである。
【００１９】
以上のように構成された防振支持装置について、以下、その動作を説明する。締結ネジ４をパイプ５の中に通して、第１押圧板１０に対して締めつけると、図２のように、筐体２と第１押圧板１０との間に挟まれた弾性体６の長さは、元の状態の９ｍｍから８．５ｍｍに圧縮される。その結果、弾性体６がバネの働きと振動吸収の効果を発揮する。
【００２０】
締結ネジ４の締め付けの手順は以下のようにする。図１に示すように、あらかじめ治具板１１の四角の孔に、前記２つの第１押圧板１０の四角部１０ａをはめ込んでおき、２つの締結ネジ４の先端がパイプ５と弾性体６を通して出てきたら、それぞれ順に締め込む。ネジ締めが完了したら、治具板１１は取り外す。図示していないが、もう一方の側の保持板２つ孔に同様の処置を行う。
【００２１】
このようにすることにより、治具板１１を用いていない場合に、締結ネジ４を締めつける最終段階になると、弾性体６の上部の面が第１押圧板１０に引きずられて回転しようとするが、治具板１１に第１押圧板１０の四角部１０ａが嵌まっており、かつその第１押圧板のネジ孔１０ａに、２個の締結ネジ４がねじ込まれているため、回転することができない。したがって、弾性体６の上部に捻りを加えることなく弾性体６を圧縮のみして押圧板１０を筐体２に締結することができる。
【００２２】
なお、以上の説明では、弾性体６を４個使用した例を示したが、ＨＤＤ１の振動や衝撃を緩和するための弾性定数を大きくするために、弾性体６の数を８個に増やした例を図３に示す。図３において、１１は治具板で、上記四角形１０ａと嵌合する形状の例えば一辺８．４ｍｍの四角形の孔が、３個設けられている。図１に示した実施例と同様に、筐体２と保持板７とを弾性体６を介して固定した後、ＨＤＤ１の保持の方法を横方向の４個のネジ孔１ａで支えるために、保持板７の形状は“コの字”の形状にしている。ＨＤＤ１はネジ９によって横方向から締めつけて保持板７に固定しても同様の効果を得る。
【００２３】
また、以上の説明では、第１押圧板１０の形状は、円柱形状の材料を一部四角形に部分加工した形状としているが、全部が四角形でも良く、また、５角形や６角形などの多角形状でもよい。
【００２４】
また、以上の説明では、弾性体の形状は、中央部が括れた略円筒、若しくは瓢箪形状としたが、中央部に保持板の取付孔と係合する括れを設けた、例えば直方体でも同様の効果を得る。
【００２５】
また、以上の説明では、押圧板として第１押圧板１０を複数の弾性体毎に設けたが、図５に示すように、筐体の取付孔間のピッチに合わせて、Ｍ３のネジ孔を２つ設けた第２押圧板１３を設けても同様の効果を得る。
【００２６】
（実施の形態２）
図４は本発明の第２の実施の形態の防振支持装置を示すものである。
図４において、筐体２には、実施の形態１に示した取付孔２ｂの代わりに保持板の取付孔に対応して複数の締結用のネジ孔２ｃが設けられている。１２は、２個の前記弾性体６を押さえ込むための押圧板である第３押圧板で、保持板の取付孔８ｂおよび筐体の複数のネジ孔２ｃ間のピッチに対応した位置に、３．５ｍｍの孔が２つ空けてある。
【００２７】
ネジの締めつけは、前述したのと同様に、２組の締結ネジ４およびパイプ５、弾性体６を取付けた状態で行う。２つの締結ネジ４が第３押圧板１２の孔１２ａに通してあると、締結ネジ４を締めつける時、第３押圧板１２は回転しない。したがって、弾性体６の上部が捻れることが無くなる。
【００２８】
上記のように、第２の実施の形態によれば、弾性体６は、捻れることが無くなり、圧縮方向のストレスのみがかかる状況で使用することが可能となるため、弾性体６の長寿命化が実現できる。
【００２９】
なお、以上の説明の弾性体６の外周面に縦線６ｄを表示することで、仮に弾性体６に捻れが発生した場合、一見して判断することができる。
【００３０】
【発明の効果】
以上のように本発明の防振支持装置によれば、中心に貫通穴を有し中央部が括れた略円筒形の弾性体と、前記弾性体の長さより弾性体の圧縮代分短い長さで且つ前記弾性体の貫通穴に挿入されるパイプと、前記パイプを通る締結ネジと、前記弾性体を押圧する押圧板と、前記ハードディスクドライブユニットを固定し且つ前記筐体への取付孔を有する保持板とを備え、前記弾性体を前記保持板の取付孔に嵌挿し弾性体の括れを前記保持板と係合させ、前記筐体と前記押圧板の間に前記保持板と係合した弾性体を位置させ前記締結ネジでこの弾性体に捻りを加えることなく圧縮させて前記押圧板を筐体に締結することにより、締結ネジを締めつける際に、押圧板は、回転しないため、前記弾性体が捻れることがなくなり、前記弾性体の寿命劣化を防ぐことができる。
【図面の簡単な説明】
【図１】本発明の一実施例の防振支持装置を示す分解組立図
【図２】図１のＢ−Ｂ矢視断面図
【図３】本発明の他の実施例の防振支持装置を示す分解組立図
【図４】本発明の他の実施例の防振支持装置を示す分解組立図
【図５】本発明の他の実施例の防振支持装置を示す分解組立図
【図６】従来例の防振支持装置を示す分解組立図
【図７】図６のＡ−Ａ矢視断面図
【符号の説明】
１  ハードディスクドライブユニット
２  筐体
４  締結ネジ
５  パイプ
６  弾性体
６ａ  中央部
６ｄ  縦線
７、８保持板
１０、１２，１３  押圧板                   
【図１】
2004197787.tif 000003
【図２】
2004197787.tif 000004
【図３】
2004197787.tif 000005
【図４】
2004197787.tif 000006
【図５】
2004197787.tif 000007
【図６】
2004197787.tif 000008
【図７】
2004197787.tif 000009